【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
緑に対応する波長帯域を少なくとも含む第１の波長帯域の光に基づく第１の画素信号を各々が出力する複数の画素を有する第１の画素群、および前記第１の波長帯域よりも狭い波長帯域の光、あるいは、前記第１の波長帯域とは別の波長帯域の光に基づく第２の画素信号を各々が出力する複数の画素を有する第２の画素群を備える撮像素子からの画素信号を信号処理する撮像装置であって、
前記第１の画素群から出力された１フレームの第１の画素信号を用いて、前記第２の画素群における前記第１の波長帯域に相当する画素信号を補間した第１のデータを生成する処理を、各フレームの前記第１の画素信号に実行することによって複数フレームのそれぞれの前記第１のデータを生成する第１の信号処理部と、
複数フレームのそれぞれの前記第２の画素群からの第２の画素信号を用いて複数フレームのそれぞれの第２のデータを生成する第２の信号処理部と、
複数フレームのそれぞれの前記第１のデータおよび複数フレームのそれぞれの前記第２のデータを合成して画像を生成する信号合成部と、を有する撮像装置。
【請求項２】
前記第２の信号処理部は、前記第１の信号処理部が前記複数フレームのそれぞれの第１のデータの生成に用いた前記各フレームにおける前記第２の画素信号を用いて、複数フレームのそれぞれの前記第２のデータを生成し、
前記信号合成部は、前記複数フレームのそれぞれの第１のデータと、前記複数フレームのそれぞれの第２のデータとを合成して画像を生成することを特徴とする請求項１に記載の撮像装置。
【請求項３】
前記第２のデータが、前記第２の画素群の前記複数の画素の各々における前記第１のデータと前記第２の画素信号の比、または、前記第２の画素群の前記複数の画素の各々における前記複数の第１のデータの平均と前記第２の画素信号の比を含むことを特徴とする請求項１または２に記載の撮像装置。
【請求項４】
前記第２のデータが、前記第２の画素群の前記複数の画素の各々における前記複数フレームのそれぞれの第１のデータの平均と前記第２の画素信号との差を含むことを特徴とする請求項１〜３のいずれか１項に記載の撮像装置。
【請求項５】
前記複数フレームのそれぞれの前記第１のデータが、非巡回型フィルタを用いて得られることを特徴とする請求項１〜４のいずれか１項に記載の撮像装置。
【請求項６】
前記複数フレームのそれぞれの前記第１のデータが、巡回型フィルタを用いて得られることを特徴とする請求項１〜４のいずれか１項に記載の撮像装置。
【請求項７】
前記複数フレームのそれぞれの前記第１のデータが、移動平均を用いて得られることを特徴とする請求項１〜４のいずれか１項に記載の撮像装置。
【請求項８】
前記信号合成部は、各画素の信号をＲ、Ｇ、Ｂの各値で表した画素信号を生成するデモザイク処理を行うことを特徴とする請求項１〜７のいずれか１項に記載の撮像装置。
【請求項９】
前記第１の画素群は前記第２の画素群よりも輝度への寄与度が高いことを特徴とする請求項１〜８のいずれか１項に記載の撮像装置。
【請求項１０】
前記第２の画素群は、第２の画素信号が基づく光の波長帯域が互いに異なる画素を含むことを特徴とする請求項１〜９のいずれか１項に記載の撮像装置。
【請求項１１】
前記第１の画素群の前記複数の画素の各々が白画素であることを特徴とする請求項１〜１０のいずれか１項に記載の撮像装置。
【請求項１２】
前記第２の画素群の前記複数の画素の各々は、Ｒ画素、Ｇ画素、Ｂ画素のいずれかであることを特徴とする請求項１〜１１のいずれか１項に記載の撮像装置。
【請求項１３】
前記第２の画素群の前記複数の画素の各々は、Ｃ画素、Ｍ画素、Ｙ画素のいずれかであることを特徴とする請求項１〜１１のいずれか１項に記載の撮像装置。
【請求項１４】
前記第１の画素群の画素数は、第２の画素群の画素数より多いことを特徴とする請求項１〜１３のいずれか１項に記載の撮像装置。
【請求項１５】
前記第１の画素群の画素数は、第２の画素群の画素数の３倍以上であることを特徴とする請求項１〜１４のいずれか１項に記載の撮像装置。
【請求項１６】
請求項１〜１５のいずれか１項に記載の撮像装置と、前記撮像装置が出力する信号を処理する出力信号処理部と、
を有することを特徴とする撮像システム。
【請求項１７】
緑に対応する波長帯域を少なくとも含む第１の波長帯域の光に基づく第１の画素信号を各々が出力する複数の画素を有する第１の画素群、および前記第１の波長帯域よりも狭い波長帯域の光、あるいは、前記第１の波長帯域とは別の波長帯域の光に基づく第２の画素信号を各々が出力する複数の画素を有する第２の画素群を備える撮像素子からの画素信号を信号処理する信号処理方法であって、
前記第１の画素群から出力された１フレームの第１の画素信号を用いて、前記第２の画素群における前記第１の波長帯域に相当する画素信号を補間した第１のデータを生成する処理を、各フレームの前記第１の画素信号に実行することによって複数フレームのそれぞれの前記第１のデータを生成するステップと、
複数フレームのそれぞれの前記第２の画素群からの第２の画素信号を用いて複数フレームのそれぞれの第２のデータを生成するステップと、
複数フレームのそれぞれの前記第１のデータおよび複数フレームのそれぞれの前記第２のデータを合成して画像を生成するステップと、を有する信号処理方法。
【手続補正２】
【補正対象書類名】明細書
【補正対象項目名】０００６
【補正方法】変更
【補正の内容】
【０００６】
本発明の撮像装置は、緑に対応する波長帯域を少なくとも含む第１の波長帯域の光に基づく第１の画素信号を各々が出力する複数の画素を有する第１の画素群、および前記第１の波長帯域よりも狭い波長帯域の光、あるいは、前記第１の波長帯域とは別の波長帯域の光に基づく第２の画素信号を各々が出力する複数の画素を有する第２の画素群を備える撮像素子からの画素信号を信号処理する撮像装置であって、前記第１の画素群から出力された１フレームの第１の画素信号を用いて、前記第２の画素群における前記第１の波長帯域に相当する画素信号を補間した第１のデータを生成する処理を、各フレームの前記第１の画素信号に実行することによって複数フレームのそれぞれの前記第１のデータを生成する第１の信号処理部と、複数フレームのそれぞれの前記第２の画素群からの第２の画素信号を用いて複数フレームのそれぞれの第２のデータを生成する第２の信号処理部と、複数フレームのそれぞれの前記第１のデータおよび複数フレームのそれぞれの前記第２のデータを合成して画像を生成する信号合成部と、を有する。
【手続補正３】
【補正対象書類名】明細書
【補正対象項目名】０００７
【補正方法】変更
【補正の内容】
【０００７】
本発明の信号処理方法は、緑に対応する波長帯域を少なくとも含む第１の波長帯域の光に基づく第１の画素信号を各々が出力する複数の画素を有する第１の画素群、および前記第１の波長帯域よりも狭い波長帯域の光、あるいは、前記第１の波長帯域とは別の波長帯域の光に基づく第２の画素信号を各々が出力する複数の画素を有する第２の画素群を備える撮像素子からの画素信号を信号処理する信号処理方法であって、前記第１の画素群から出力された１フレームの第１の画素信号を用いて、前記第２の画素群における前記第１の波長帯域に相当する画素信号を補間した第１のデータを生成する処理を、各フレームの前記第１の画素信号に実行することによって複数フレームのそれぞれの前記第１のデータを生成するステップと、複数フレームのそれぞれの前記第２の画素群からの第２の画素信号を用いて複数フレームのそれぞれの第２のデータを生成するステップと、複数フレームのそれぞれの前記第１のデータおよび複数フレームのそれぞれの前記第２のデータを合成して画像を生成するステップと、を有する。